(57)【要約】【課題】台所空間の使用自由度を高めることができる、格納式台所システムを提供する。【解決手段】格納式台所システムは、スケルトンタイプのシステムキッチン１と、床下に設けられ、システムキッチン１を格納する格納部７と、システムキッチン１を昇降させ、使用状態の高さと格納部７内に格納した状態とに設定する昇降機構１０−１〜１０−４と、システムキッチン１を格納部７に格納したときに、格納部７上を覆う蓋板１１−１，１１−２とを具備することを特徴とする。システムキッチン１自体を床の下に格納し、使用するときだけ引き出せるようにすることで、台所空間の使用自由度を高めることができ、キッチンを通常の居室として使用できる。【選択図】図１
2012196356.tif 000002
【特許請求の範囲】
【請求項１】
スケルトンタイプのシステムキッチンと、
床下に設けられ、前記システムキッチンを格納する格納部と、
前記システムキッチンを昇降させ、使用状態の高さと前記格納部内に格納した状態とに設定する昇降手段と、
前記システムキッチンを前記格納部に格納したときに、前記格納部上を覆う蓋板と、
を具備することを特徴とする格納式台所システム。
【請求項２】
前記昇降手段は、前記システムキッチンのワークトップと前記格納部との間に設けられ、上下方向に伸縮し、少なくとも伸状態と縮状態とで固定されるダンパーを備えることを特徴とする請求項１に記載の格納式台所システム。
【請求項３】
前記昇降手段は、モータと、このモータの回転軸に取り付けられたウォームギヤと、このウォームギヤで駆動されるウォームホイールと、前記システムキッチンのワークトップと前記格納部との間に設けられたラックを有し、前記ウォームホイールがピニオンとして働き、前記システムキッチンのワークトップを昇降させるラックアンドピニオンを備えることを特徴とする請求項１に記載の格納式台所システム。
【請求項４】
前記ワークトップに設けられたシンク槽を更に備え、前記シンク槽の給排水は、蛇腹管を介して行うことを特徴とする請求項１乃至３のいずれか１つの項に記載の格納式台所システム。
【請求項５】
前記ワークトップの前記シンク槽に対応する位置に設けられる可倒式の蛇口を更に備え、前記格納部への格納時に倒すことを特徴とする請求項４に記載の格納式台所システム。
【請求項６】
前記ワークトップに設けられた調理器具を更に備え、前記調理器具は、ＩＨクッキングヒータであることを特徴とする請求項１乃至５いずれか１つの項に記載の格納式台所システム。
【請求項７】
前記蓋板は、床材と実質的に等しい材料で形成されることを特徴とする請求項１乃至６いずれか１つの項に記載の格納式台所システム。
【発明の詳細な説明】
【技術分野】
【０００１】
本発明は、システムキッチン等の台所システムに用いられ、台所を床の下に格納可能な格納式台所システムに関するものである。
【背景技術】
【０００２】
従来より、台所空間の有効利用、或いは、使い勝手や快適性を向上させるために、様々な可動式システムキッチンが提案されている。
【０００３】
例えば、特許文献１には、手動や電動でワークトップの高さを変化させる昇降機構を備え、使用者の身長に応じた、或いは、使い勝手の良い高さでキッチンワークを行えるようにしたシステムキッチンが記載されている。また、キッチンの壁面に、排水機能を持たせたキッチン用収納パネルを収納して、台所空間を有効利用する構造も記載されている。
【０００４】
更に、例えば、特許文献２には、可動支柱に取り付けたアームに可動式のテーブルを接続することで、テーブルを含めたキッチンやダイニングルームのレイアウトの変更を、容易に行うことができるようにしたキッチンユニットが記載されている。
【先行技術文献】
【特許文献】
【０００５】
【特許文献１】特開２００１−１２０３７２号公報
【特許文献２】特開２００７−６１２５１号公報
【発明の概要】
【発明が解決しようとする課題】
【０００６】
しかしながら、一般的な従来のシステムキッチンにおいては、居室空間内に設置して使用することを前提としており、可動性を持たせた場合であっても、空間の使用主体は台所であるため、キッチン設備自体は、常に台所空間である居室内に存在し続けることになる。
【０００７】
このため、台所空間は使用の自由度が低くならざるを得ず、他の用途に使うことを想定していないのが実情である。
【０００８】
一方、都市部等において限られた敷地内に建設される住戸においては、平屋建て構造のものは稀で、二階建てや三階建て構造の住戸が多い。また、複数階建ての住戸における各階においては、その居住空間や収納空間に余裕がない場合も少なくない。
【０００９】
そして、居住者の高齢化に伴い、二階や三階への移動が容易でない事態も生じていることから、居住者は、一階での生活を基本とし、一階に居室を設けたいとの要望もある。
【００１０】
しかし、様々な水回りに関連した設備を伴うキッチン設備は、基本的に複数階建ての住戸における一階部分に存在している事が多いことから、一階に居室を設けて、この一階での生活を基本とすることが、現実的に困難である場合も少なくない。
【００１１】
本発明は、上記のような事情に鑑みてなされたもので、その目的とするところは、一階に充分なスペースを適宜確保することにより、台所空間の使用の自由度を高めることができる格納式台所システムを提供することにある。
【課題を解決するための手段】
【００１２】
本発明に係る格納式台所システムにおいては、スケルトンタイプのシステムキッチンと、床下に設けられ、前記システムキッチンを格納する格納部と、前記システムキッチンを昇降させ、使用状態の高さと前記格納部内に格納した状態とに設定する昇降手段と、前記システムキッチンを前記格納部に格納したときに、前記格納部上を覆う蓋板と、を具備することで、上述した課題を解決した。
【００１３】
また、前記昇降手段は、前記システムキッチンのワークトップと前記格納部との間に設けられ、上下方向に伸縮し、少なくとも伸状態と縮状態とで固定されるダンパーを備えることで、同じく上述した課題を解決した。
【００１４】
さらに、前記昇降手段は、モータと、このモータの回転軸に取り付けられたウォームギヤと、このウォームギヤで駆動されるウォームホイールと、前記システムキッチンのワークトップと前記格納部との間に設けられたラックを有し、前記ウォームホイールがピニオンとして働き、前記システムキッチンのワークトップを昇降させるラックアンドピニオンを備えることで、同じく上述した課題を解決した。
【００１５】
また、前記ワークトップに設けられたシンク槽を更に備え、前記シンク槽の給排水は、蛇腹管を介して行うことで、同じく上述した課題を解決した。
【００１６】
加えて、前記ワークトップの前記シンク槽に対応する位置に設けられる可倒式の蛇口を更に備え、前記格納部への格納時に倒すことで、同じく上述した課題を解決した。
【００１７】
また、前記ワークトップに設けられた調理器具を更に備え、前記調理器具は、ＩＨクッキングヒータであることで、同じく上述した課題を解決した。
【００１８】
この他、前記蓋板は、床材と実質的に等しい材料で形成されることで、同じく上述した課題を解決した。
【発明の効果】
【００１９】
本発明に係る格納式台所システムによれば、システムキッチン自体を床の下に格納し、使用するときだけシステムキッチンを引き出せるようにすることで、従来の「キッチン」というあまり汎用性がない空間を、通常の居室として使用することを可能としている。
【００２０】
即ち、住戸における１階部分に存在している台所空間を、通常の居室として使用することにより、台所空間における使用の自由度を高めている。
【００２１】
具体的には、システムキッチン自体を床の下に格納した状態にすることにより、一階部分に充分なスペースを確保できることとなる。そのため、寝具の敷設も可能となり、１階部分を通常の居室として使用できるのである。
【００２２】
その結果、二階や三階への移動に苦労することの多い高齢の居住者が、住戸における１階部分を生活の基本として、快適に過ごすことができるのである。
【００２３】
また、本発明に係る格納式台所システムにおいては、昇降手段に、少なくとも伸状態と縮状態とで固定されるダンパーを用いることにより、比較的に軽い力で安全にシステムキッチンの格納と引き出しを可能としている。
【００２４】
更に、昇降手段として、モータ、ウォームギヤ、ウォームホイール及びラックアンドピニオンを設け、モータを正転及び反転させることで、システムキッチンの昇降を電動化できる。
【００２５】
また、シンク槽の給排水は、蛇腹管を介して行うことにより、格納時に折曲させることができ、格納部の深さを浅くできる。
【００２６】
加えて、蛇口を可倒式にすることにより、格納時に蛇口を倒すことができ、格納部の深さを浅くできる。
【００２７】
また、ＩＨクッキングヒータは、火気を使用せず、余熱や蓄熱も少ないことから、床の下に安全に格納できる。
【００２８】
この他、蓋板を、床材と実質的に等しい材料で形成することで、格納時に床と一体化できる。
【図面の簡単な説明】
【００２９】
【図１】本発明の第１の実施の形態に係る格納式台所システムを示すもので、（ａ）は引き出した使用状態の概略断面図、（ｂ）は格納途中の状態を示す概略断面図、及び（ｃ）は格納状態の概略断面図である。
【図２】本発明の第１の実施の形態に係る格納式台所システムを、引き出した使用状態を示す斜視図である。
【図３】本発明の第１の実施の形態に係る格納式台所システムの、格納途中の状態を示す斜視図である。
【図４】本発明の第１の実施の形態に係る格納式台所システムの、格納状態を示す斜視図である。
【図５】本発明の第２の実施の形態に係る格納式台所システムを、引き出した使用状態を示す斜視図である。
【図６】本発明の第２の実施の形態に係る格納式台所システムの、格納途中の状態を示す斜視図である。
【図７】本発明の第２の実施の形態に係る格納式台所システムの、格納状態を示す斜視図である。
【発明を実施するための形態】
【００３０】
以下に、本発明を実施するための形態を、図面を参照して説明する。
【００３１】
図１は、本発明の第１の実施の形態に係る格納式台所システムを示すものである。
【００３２】
図１（ａ）及び図２に示す如く、システムキッチン１のワークトップ２には、流し台３、調理器具、例えばＩＨ（電磁誘導加熱）クッキングヒータ４、及び混合水栓５等が設けられている。
【００３３】
このシステムキッチン１は、前面、側面及び背面に化粧板等がなく、骨組みのみで形成されたスケルトンタイプになっており、キッチン下の収納もなくして、実質的な厚さがシンク槽６の厚さと同程度になっている。
【００３４】
また、上記混合水栓５の蛇口５ａは可倒式になっており、格納時に横方向に倒すことで、高さを低くして床１２の下に存在している格納部７が深くなるのを抑えている。
【００３５】
尚、図１（ａ）〜（ｃ）において、１７−１，１７−２は、一階の床１２の大引（図示せず）を支える束石及び床束であり、格納部７は一階の床１２と地面１８との間の空間に設けられている。
【００３６】
上記流し台３におけるシンク槽６の底部には、排水口８が設けられ、蛇腹管等の折曲可能な排水管９を介して、下水等の排水設備へ導くようになっている。また、図示しないが、給水設備にも蛇腹管を用いており、ＩＨクッキングヒータ４は電源コードを介して電源に接続されている。
【００３７】
上記ワークトップ２の四隅下部には、昇降機構（昇降手段）１０−１〜１０−４が設けられており、システムキッチン１を上下動可能に構成されている。
【００３８】
昇降機構１０−１〜１０−４は、ワークトップ２を支える脚部として働くもので、本例では伸縮自在のダンパーを用いている。これらのダンパー（昇降機構）１０−１〜１０−４は、上記格納部７内に立設した状態で設置されている。
【００３９】
各ダンパー１０−１〜１０−４には、スプリングが内蔵されると共に、オイルやガスが封入されており、例えば、２段伸縮式で上下方向に伸縮し、図示しない固定レバー等を用いて任意の位置で固定可能になっている。
【００４０】
これにより、システムキッチン１を、使用者の身長に応じた高さ、或いは、好みに応じた使い勝手の良い高さと、格納部７内に格納した状態とで固定可能になっている。
【００４１】
上記のような構成において、システムキッチン１を使用しないときには、図１（ｂ）及び図３に示すように、上記ダンパー１０−１〜１０−４を収縮させ、システムキッチン１を格納部７内に収容する。
【００４２】
そして、図１（ｃ）及び図４に示すように、この格納部７に、床材と実質的に等しい材料で形成された蓋板１１−１，１１−２を嵌合させて装着し、床１２と一体化させる。これによって、システムキッチン１自体を、完全に床１２の下に格納することができる。
【００４３】
尚、システムキッチン１を使用する際には、格納と逆の手順で、蓋板１１−１，１１−２に形成した指孔１１−１ａ，１１−２ａに指を挿入して引き上げることにより、蓋板１１−１，１１−２を外し、ワークトップ２（システムキッチン１）を持ち上げる。
【００４４】
この際、ダンパー１０−１〜１０−４により、比較的ゆっくりと軽い力でワークトップ２が上昇する。そして、蛇口５ａを起こすことで、図１（ａ）及び図２に示した状態に復帰し、システムキッチン１としての使用が可能になる。
【００４５】
上記のような構成によれば、システムキッチン１自体を完全に床１２の下に格納し、使用するときだけ引き出せるようにすることで、従来の「キッチン」というあまり汎用性がない空間を、通常の居室として使用できる。
【００４６】
これにより、狭い住宅で寝室等の居室を全て二階以上に配置せざるを得ないような住宅においても、一階のキッチン部分を居室や寝室等に使用できるようになり、一階のみでの生活が可能になる。よって、二階への昇降に負担がかかる高齢者等にとって、非常に有効である。
【００４７】
また、昇降機構１０−１〜１０−４に、伸縮自在のダンパーを用いることにより、比較的軽い力で安全にシステムキッチン１の格納と引き出しができる。更に、シンク槽６の給排水に蛇腹管を用いるので、格納時に折曲させることができ、蛇口５ａを可倒式にしたので格納時に倒して低くすることができ、格納部７の深さをシンク槽６の厚さと同程度に浅くできる。
【００４８】
しかも、ＩＨクッキングヒータ４は、火気を使用せず、余熱や蓄熱も少ないことから、床１２の下に安全に格納できる。また、蓋板１１−１，１１−２を、床材と実質的に等しい材料で形成したので、格納時に床１２と一体化できる。
【００４９】
図５乃至図７は、本発明の第２の実施の形態に係る格納式台所システムを示すものである。
【００５０】
上述した第１の実施の形態では、システムキッチン１を手動で昇降させる例を示したが、第２の実施の形態は、システムキッチン１を電動で昇降させるものである。
【００５１】
尚、図５乃至図７において、図１（ａ）〜（ｃ）、図２乃至図４と同一構成部分には、同じ符号を付してその詳細な説明を省略する。
【００５２】
図５に示すように、第２の実施の形態のシステムキッチン１は、ワークトップ２の対角線方向に対向する下部に、ダンパー１０−２，１０−３に代えて、一対の昇降機構１３−１，１３−２を設けている。
【００５３】
この昇降機構１３−１，１３−２は、それぞれ、モータ１４−１，１４−２、ウォームギヤ１５−１，１５−２及びラックアンドピニオン１６−１，１６−２を組み合わせて構成されている。
【００５４】
具体的には、ウォームギヤ１５−１，１５−２でモータ１４−１，１４−２の回転を減速し、ラックアンドピニオン１６−１，１６−２で回転運動を直線運動に変換して、システムキッチン１を上下動させるものである。
【００５５】
上記昇降機構１３−１，１３−２を作動させる電源スイッチや、昇降を切り換える切換スイッチは、例えば、ワークトップ２に設けられている。
【００５６】
即ち、モータ１４−１，１４−２の回転軸に取り付けられたウォームギヤ１５−１，１５−２を回転させると、減速される軸に取り付けられたウォームホイール１５−１ａ，１５−２ａが回転駆動される。
【００５７】
このウォームホイール１５−１ａ，１５−２ａは、ラックアンドピニオン１６−１，１６−２のピニオン（円形歯車）を兼ねており、このピニオンに加えられた回転力により、平板状の部材に歯切りをしたラック１６−１ａ，１６−２ａが歯すじ設定された末端まで上下方向に移動される。これによって、システムキッチン１は、矢印で示すように格納部７に向かって降下する。
【００５８】
そして、図６に示すように、システムキッチン１を格納部７内に収容した状態で、蛇口５ａを倒し、格納部７上に蓋板１１−１，１１−２を装着して、床１２と一体化させる。
【００５９】
これによって、図７に示すように、システムキッチン１が完全に床１２の下に格納されるので、台所空間を居室として利用可能になる。
【００６０】
尚、格納したシステムキッチン１を使用する際には、格納と逆の手順で、蓋板１１−１，１１−２に形成した指孔１１−１ａ，１１−２ａに指を挿入して引き上げることにより、蓋板１１−１，１１−２を外し、ワークトップ２に設けた電源スイッチと切換スイッチによりモータ１４−１，１４−２を逆回転させることで、昇降機構１３−１，１３−２によりシステムキッチン１を必要な高さまで上昇させる。
【００６１】
そして、蛇口５ａを起こすことで、図５に示した状態に復帰し、システムキッチン１としての使用が可能になる。
【００６２】
上記のような構成によれば、システムキッチン１を電動で昇降でき、且つワークトップ２の高さを好みの高さに調整することが可能になる。また、第１の実施の形態と同様に、床下格納時は蓋板１１−１，１１−２を設置して床１２と一体化させることで、台所空間を通常の居室として使用することが可能となり、一階の空間を有効に利用できる。従って、台所空間の使用自由度を高めることができる。
【００６３】
尚、上記第１、第２の実施の形態では、昇降機構としてダンパー１０−１〜１０−４を用いる場合と、モータ１４−１，１４−２、ウォームギヤ１５−１，１５−２及びラックアンドピニオン１６−１，１６−２を組み合わせて用いる例を示したが、上下方向に伸縮し、少なくとも伸状態と縮状態とで固定して、床下格納状態と通常使用状態とに設定できれば、他の種々の構成や機構を採用することができる。
【００６４】
また、第１の実施の形態では、ダンパー１０−１，１０−４を用いたが、伸縮可能な脚部として働くものであれば、他のものを用いることもできる。
【００６５】
更に、ワークトップ２に、流し台３、ＩＨクッキングヒータ４及び混合水栓５を設ける場合を例に取って説明したが、調理台や他の機具を設けても良いことは勿論である。
【００６６】
但し、調理器具４については、格納後に上に蓋板１１−１，１１−２を設置するため、火気は好ましくないこと、ガス漏れが起きたときにはシステムキッチン１を引き出す操作で引火する可能性があること（電気的・機械的な火花発生の可能性）等から、ガスコンロは好ましくない。
【００６７】
そのため、本発明に係る格納式台所システムは、第１、第２の実施の形態のように、ＩＨクッキングヒータ４との親和性が非常に高いものである。
【産業上の利用可能性】
【００６８】
本発明に係る格納式台所システムは、システムキッチン自体を床の下に格納し、使用するときだけ引き出せるようにすることで、キッチンを通常の居室として使用でき、台所空間を有効に利用できる。
【符号の説明】
【００６９】
１…システムキッチン
２…ワークトップ
３…流し台
４…調理器具（ＩＨクッキングヒータ）
５…混合水栓
５ａ…蛇口
６…シンク槽
７…格納部
８…排水口
９…排水管
１０−１…昇降機構（昇降手段）
１０−２…昇降機構（昇降手段）
１０−３…昇降機構（昇降手段）
１０−４…昇降機構（昇降手段）
１１−１…蓋板
１１−２…蓋板
１１−１ａ…指孔
１１−２ａ…指孔
１２…床
１３−１…昇降機構（昇降手段）
１３−２…昇降機構（昇降手段）
１４−１…モータ
１４−２…モータ
１５−１…ウォームギヤ
１５−２…ウォームギヤ
１５−１ａ…ウォームホイール
１５−２ａ…ウォームホイール
１６−１…ラックアンドピニオン
１６−２…ラックアンドピニオン
１６−１ａ…ラック
１６−２ａ…ラック
１７−１…束石及び床束
１７−２…束石及び床束
１８…地面
【図１】
2012196356.tif 000003
【図２】
2012196356.tif 000004
【図３】
2012196356.tif 000005
【図４】
2012196356.tif 000006
【図５】
2012196356.tif 000007
【図６】
2012196356.tif 000008
【図７】
2012196356.tif 000009